(57)【要約】【課題】面光源であって、消費電力が少なく、照射光線の波長を自由に選択でき、光源の形状の自由度が大きい人工光線照射による植物生育方法を提供する。【解決手段】有機ＥＬ発光シートの光を植物に照射する植物生育方法。【選択図】  図３
2004321074.tif 000002
【特許請求の範囲】
【請求項１】
有機ＥＬ発光シートの光を植物に照射することを特徴とする植物生育方法。
【請求項２】
有機ＥＬ発光シートの発光部が有機ＥＬからなる発光層であることを特徴とする請求項１記載の植物生育方法。
【請求項３】
有機ＥＬ発光シートの発光部が電子輸送能又はホール輸送能を有するものであることを特徴とする請求項１又は２記載の植物生育方法。
【請求項４】
有機ＥＬ発光シートの支持基体が透明プラスチックシートであることを特徴とする請求項１、２又は３記載の植物生育方法。
【請求項５】
有機ＥＬ発光シートの光がピーク波長６００〜７００ｎｍの赤色光、ピーク波長４００〜５００ｎｍの青色光およびピーク波長７００〜８００ｎｍの遠赤色光であることを特徴とする請求項１、２、３又は４記載の植物生育方法。
【請求項６】
少なくとも青色光及び赤色光を含む光を照射する植物生育方法において、青色光が有機ＥＬ発光シートの光であり、赤色光が赤色ＬＥＤの光であることを特徴とする植物生育方法。
【発明の詳細な説明】
【０００１】
【発明の属する技術分野】
本発明は、人工光線照射による植物生育方法に関する。
さらに詳しくは、有機ＥＬ発光シートの光による植物生育方法に関する。
【０００２】
【従来の技術】
発光ダイオード又は半導体レーザーなどの半導体光源の光によって植物を栽培する方法は、植物成長に有効な波長の光線を選択し易く、かつ、熱線照射がわずかであるので近年、植物工場、育苗などに利用されつつあり、技術の進歩に伴い改良提案も提出されている。例えば、特開２００１−５４３２０号公報では、発光ダイオード（ＬＥＤ）、または、半導体レーザーなどを半導体光源として利用し、植物栽培に有効な波長、例えば、ピーク波長が６００〜７００ｎｍの光合成に必要な赤色光を照射し、略密閉系の植物栽培装置内の相対湿度を６０％以下に保持して植物の徒長を抑制し、食感などの品質を向上できる植物栽培方法が提案されている。しかし、この方法では、半導体光源としては、多数の発光体ＬＥＤチップを基板上に取り付ける必要があり、また、形状を自由に変形して照射光源にすることはできない。又、植物の徒長を抑制するために必要な青色ＬＥＤは、製造コストが高い欠点がある。
また、特開平９−１７２８６８号公報では、発光層として銅をドープした硫化亜鉛をバインダー溶液に混合した無機系発光インクを使用する無機ＥＬシートを使用する植物生育方法が提案されている。この無機ＥＬは、高電圧を必要とし、消費電力が大きく、青色発光が難しい欠点がある。
【特許文献１】
特開２００１−５４３２０号公報
【特許文献２】
特開平９−１７２８６８号公報
【０００３】
【発明が解決しようとする課題】
本発明は、面光源であって、消費電力が少なく、照射光線の波長を自由に選択でき、光源の形状の自由度が大きい人工光線照射による植物生育方法を提供することを目的としてなされたものである。
【０００４】
【課題を解決するための手段】
本発明者は、従来用いられてきた人工光線照射による植物生育方法の欠点を詳細に検討の結果、有機ＥＬ発光体をシート状に形成して照射光源として用いることによって、前記課題を解決し得ることを見出し本発明を完成するに至った。
すなわち本発明は、
（１）有機ＥＬ発光シートの光を植物に照射することを特徴とする植物生育方法、
（２）有機ＥＬ発光シートの発光部が有機ＥＬからなる発光層であることを特徴とする第１項記載の植物生育方法、
（３）有機ＥＬ発光シートの発光部が電子輸送能又はホール輸送能を有するものであることを特徴とする第１項又は第２項記載の植物生育方法、
（４）有機ＥＬ発光シートの支持基体が透明プラスチックシートであることを特徴とする第１項、第２項又は第３項記載の植物生育方法、
（５）有機ＥＬ発光シートの光がピーク波長６００〜７００ｎｍの赤色光、ピーク波長４００〜５００ｎｍの青色光およびピーク波長７００〜８００ｎｍの遠赤色光であることを特徴とする第１項、第２項、第３項又は第４項記載の植物生育方法、及び
（６）少なくとも青色光及び赤色光を含む光を照射する植物生育方法において、青色光が有機ＥＬ発光シートの光であり、赤色光が赤色ＬＥＤの光であることを特徴とする植物生育方法、
を提供するものである。
【０００５】
【発明の実施の形態】
本発明に用いる有機ＥＬ発光シートは、支持基体上に陽極膜、有機ＥＬ発光部及び陰極膜を順次積層したものを使用することができる。
図面によって本発明をさらに詳細に説明するが、図面は本発明の一態様を示すものであって、本発明はこれらの図面によってなんら限定されるものではない。
本発明の特徴層を明示するために、実際には極めて薄い発光層などが厚く表示され、これらと対比して遥かに厚い支持基体が薄く表示されている。
本発明に用いる有機ＥＬ発光シート９は、図１（ａ）に示すように、支持基体１上の陽極膜２と陰極膜８との間に有機ＥＬの発光層５を挟んで発光部１層型に形成することができる。陽極膜２は陽極膜のリード線１０、また陰極膜８は陰極膜のリード線１１を経由して電源Ｅと結合することができる。
また、本発明に用いる有機ＥＬ発光シート９は、図１（ｅ）に示すように、支持基体１上に陽極膜２を形成させ、続いて、ホール注入層３、ホール輸送層４、発光層５、電子輸送層６、電子注入層７の基本構成層を順に形成させ、この上に陰極膜８を形成させた発光部５層型を使用することができる。
さらに、本発明に用いる有機ＥＬ発光シート９は、必要に応じて、図１（ｂ）に示すように、発光層５が電子輸送層６を兼ねる発光部２層型、図１（ｃ）に示すように、発光層５が独立した発光部３層型、または図１（ｄ）に示すように、ホール注入層３を加えた、発光部４層型の構成層を有するものを使用することができる。
これらの基本構成層には、必要に応じて、補助構成層を設けることができる。
【０００６】
本発明に用いる透明な支持基体１は、発光部を支持するシート状の基体であり、その材質は支持基体としての強度があり、前記発光部で発生する光を透過させるものであれば特に制限なく支持基体材料として使用することができ、例えば、ガラス、石英、雲母などの無機材料シート及び、ポリエステル、ナイロン、ポリカーボネート、ポリメタアクリル酸メチル、ポリ塩化ビニル、ポリプロピレンなどのプラスチックシート、又は、これらのシートを積層したものを好適に使用することができる。
本発明に用いる支持基体１の厚さは、１０μｍ〜１０ｍｍ、好ましくは、５０μｍ〜３ｍｍの硬質若しくは軟質のシートを使用することができる。
本発明に用いる支持基体１の形状は、有機ＥＬ発光シート９の形状に合わせて、平面状、コの字型、曲面状、箱型または円筒状など任意の形状に成形して使用することができる。
本発明に用いる支持基体１として柔軟性のある透明プラスチックフイルムを使用することによって、有機ＥＬ発光シート９の形状を照射場所に合わせて任意に成形することができる。
本発明に用いる陽極膜２は、有機ＥＬ発光シート９に用いることのできる陽極膜を特に制限することなく使用することができる。例えば、インジウムＩｎ及び錫Ｓｎ（Ｔｉｎ）の酸化物（ＩＴＯ）を支持基体１の上に、真空蒸着法、スパッタリング法又はコーティングなどによって、厚さ５〜１，０００ｎｍ、好ましくは、１０〜５００ｎｍに形成したものを使用することができる。
【０００７】
本発明に用いる発光層５に含まれる発光性有機化合物は、電圧が加えられると、エネルギー水準の低い安定な状態から、エネルギー水準の高い不安定な状態に励起され、再びエネルギー水準の低い安定な状態に戻るときに放出されるエネルギーを光として発生する有機化合物を使用することができる。陽極膜２から供給されるプラス電荷を有するホールと陰極膜８から供給される電子が発光部で再結合する際に放出されるエネルギーが発光性有機化合物を励起し、該発光性有機化合物特有の波長の光を発生することができる。
本発明に用いる発光層５の発光性有機化合物は、上記性能を有するものであり、本発明の目的を達成できるものであれば、蛍光又は、燐光を発生することのできる有機ＥＬ用の発光性有機化合物を特に制限することなく使用することができる。例えば、分子量１，０００以下の低分子系のものとしては、分子の中心のアルミニウム原子に、ヒドロキシルキノリン３分子を配位した化合物（ＡＬｑ３）、同様にアルミニウム原子に４−メチル−８−オキシキノリン３分子を配位した化合物（ＡＬｍｑ３）などのアルミニウム錯体、希土類錯体、イリジウム錯体、アントラセン類、ビスジフェニルビニルフェニル（ＤＰＶＢｉ）、ローダミン系の蛍光色素、８−ヒドロキシキノリン、テトラフェニルブタジエン、ニトロベンゾチアゾリルアゾ化合物などを使用することができる。さらに、燐光を発生することのできる有機物配位金属錯体を好適に使用することができる。燐光物質を使用することによって、光へのエネルギー変換効率を大きく向上することができる。イリジウムＩｒにピリジン誘導体を配位した化合物、例えば、Ｉｒ（ｐｐｙ）３などを好適に使用することができる。
また、分子量１０，０００以上の高分子系のものとしては、フェニレンビニレンポリマー（ＰＰＶ）類、ビニルハイドロキノン誘導体ポリマー（ＭＥＨ−ＰＰＶ）、アルキル基付加ビフェニル誘導体ポリマー（ＰＦ）、低分子色素含有ポリマー類（ポリビニルカルバゾールＰＶＫ、ＴＰＤＰＥＳ、ＰＶＯＸＤなど）、ポリフルオレン類、ポリチオフェン類などを使用することができる。
本発明に用いる発光層５の発光性有機化合物は、赤色発光層には、ジシアノメチレンピラン誘導体、フルオロセイン誘導体、ニトロベンゾチアゾリルアゾ化合物などを使用することができる。緑色発光層には、ピロロピリジン誘導体、ナフチリジン誘導体、ナフタルイミド誘導体などを使用することができる。青色発光層には、ジスチリルベンゼン誘導体、オキサザール金属錯体、フェノキサゾン系化合物、アントラセン、ペリレン、コロネンなどの誘導体などを使用することができる。
【０００８】
本発明に用いる発光層５は、２色以上のものを適宜組み合わせて使用することができる。植物の光合成には主力成分として赤色光が必要であり、さらに、葉柄の徒長を抑制するためには、これに加えて一定量の青色光が必要である。また、遠赤色光は植物の伸長、ボリュームの増大を促進することができ、特に発芽直後の苗生産に効果がある。
本発明に用いる発光層５は、発光性質をもつ公知の発光性有機化合物などを特に制限することなく使用することができる。この発光性有機化合物は分子量１，０００以下の低分子系のものであってもよく、また、分子量１０，０００以上の高分子系のものであってもよく、さらに、必要により、その中間の分子量のものも使用することができる。
本発明に用いる発光層５は、粉末状で真空蒸着法または、スパッタリング法によって基板上に薄膜化することができる。
また、本発明に用いる発光層５は、公知の塗布方法によって形成することができる。例えば、スピンコーティング法、キャスティング法、ディッピング法、バーコート法、ロールコート法などを使用することができる。スピンコーティング法は、溶液を基板の中心に落とし、基板を回転させ、前記溶液を遠心力によって円周部方向に移動させ薄膜化させることができる。スピンコーティング法の溶液ロスの多い欠点を改良するインクジェット法も開発されつつある。将来、グラビア印刷によっても可能になる開発研究も行われている。これらの方法であれば、真空を必要とせず、室温で発光層５の形成を行うことができる大きな利点がある。
本発明に用いる発光層５は、発光層を、別々の発光シートに一層ずつ形成することもでき、一枚の発光シートの異なる位置に分散して配置形成することもでき、また、これら発光層を積層して一枚の発光シートに形成することもできる。発光層を別々に一層ずつ形成した発光シートにすれば、それぞれの成分色の光量をそれぞれの必要に応じた光量に調節して照射することができる。複数の発光層を一枚の発光シート積層するか、または、一枚の発光シートの異なる位置に分散して配置形成すれば、一枚の発光シートによって複数の種類の光を同時に照射することができる。
本発明に用いる陰極膜８は、導電性膜を特に制限することなく使用することができ、例えば、アルミニウム、アルミニウム・リチウム合金、マグネシウム・銀合金などを使用することができる。
【０００９】
本発明に用いる発光部のホール輸送能は、陽極膜２から供給されるホールを発光性有機化合物に迅速に流す機能であって、この機能を達成するために、ホール輸送能を有するとともに陽極膜２及び発光層５と物理的、化学的に親和性のよい物質よりなるホール輸送能物質を発光層５に積層して又は混入して使用することができる。有機ＥＬ発光シート９に用いるホール輸送能物質は、上記ホール輸送能を有するものを特に制限することなく使用することができ、例えば、低分子系発光化合物の場合には、アリールアミン類、フタロシアニン類、ルイス酸ドープ有機化合物などを使用することができる。また、高分子系発光性化合物の場合には、ポリアニリン＋有機酸類、ポリチオフェン＋ポリマー酸類などを使用することができる。
本発明に用いるホール注入層３は、陽極膜２及びホール輸送層４と物理的及び化学的に親和性のよい物質から選択して使用することができる。例えば、低分子系発光化合物の場合には、アリールアミン類、フタロシアニン類、ルイス酸ドープ有機層などを使用することができる。また、高分子系発光層の場合には、ポリアニリン＋有機酸類、ポリチオフェン＋ポリマー酸類などを使用することができる。
本発明に用いるホール輸送層４は、ホールを迅速に発光層５に流すことのできる移動度の高い物質から選択して使用することができる。例えば、低分子系発光層の場合には、アリールアミン類などを使用することができる。
【００１０】
本発明に用いる発光部の電子輸送能は、陰極膜８から供給される電子を発光性有機化合物に迅速に流す機能であって、この機能を達成するために、電子輸送能を有するとともに陰極膜８及び発光層５と物理的、化学的に親和性のよい物質よりなる電子輸送層６を発光層５に積層して、又は混入して使用することができる。有機ＥＬ発光シート９に用いる電子輸送能物質は、上記電子輸送能を有するものを特に制限することなく使用することができ、例えば、低分子系発光化合物の場合には、アルミニウム錯体類、オキサチアゾール類、トリアゾール類、フェナントロリン類など、又は、リチウムなどのアルカリ金属、フッ化リチウム、酸化リチウム、リチウム錯体、アルカリ金属ドープ有機層などを使用することができる。また、高分子系発光化合物の場合には、バリウム、カルシウムなどを使用することができる。
本発明に用いる電子注入層７は、金属陰極膜８及び電子輸送層６と物理的及び化学的に親和性のよい物質から選択して使用することができる。例えば、低分子系発光層の場合には、リチウムなどのアルカリ金属、フッ化リチウム、酸化リチウム、リチウム錯体、アルカリ金属ドープ有機層などを使用することができる。また、高分子系発光層の場合には、バリウム、カルシウムなどを使用することができる。
本発明に用いる電子輸送層６は、電子を迅速に発光層に流すことのできる移動度の高い物質から選択して使用することができ、発光層５及び電子注入層７と物理的及び化学的に親和性のよい物質から選択して使用することができる。例えば、低分子系発光層の場合には、アルミニウム錯体類、オキサチアゾール類、トリアゾール類、フェナントロリン類などを使用することができる。
【００１１】
本発明に用いる植物生育装置１２は、通常使用される公知の植物生育装置を特に制限することなく使用することができる。例えば、湛液式、ＮＦＴ式、湛液等量交換式などの溶液方式などを使用することができる。底面潅水方式のものを好適に使用することができる。また、植物生育装置１２の内壁は照射光線を効率よく反射させるため白色のものを好適に使用することができる。
本発明に用いる光の照射条件は、対象植物および生育時期に適した照射条件を適宜選択して使用することができる。例えば、コマツ菜などにはピーク波長が６００〜７００ｎｍで、光量が５０〜１５０±５μｍｏｌ／ｍ２・ｓの赤色光照射が効果的である。また、レタス、ほうれん草などの場合にはピーク波長が６００〜７００ｎｍの赤色光およびピーク波長が４００〜５００ｎｍの青色光を併用照射するのがよく、青色光の光量は、照射全光量の５〜２０％程度が効果的である。さらに、発芽直後の苗生産には、ピーク波長が７００〜８００ｎｍの遠赤色光を照射すると、植物の伸長、ボリュームの増大を促進するのに特に効果がある。本発明に用いる生育養液は、対象植物の生育に適した養分組成のものを適宜選択して使用することができる。窒素、リン酸、カリウム、カルシウム、マグネシウム、硫黄、鉄、マンガン、ホウ素などを適切に含有する園芸試験場標準処方液を好適に使用することができる。
本発明に用いる温度条件は、対象植物の生育に適した温度条件を適宜選択して使用することができる。例えば、レタス、サラダ菜などには２０〜２５℃に、ほうれん草の場合には１５〜２０℃に、チンゲンサイ、トマト苗、パンジー苗などには１８〜２５℃などに調整するのが望ましい。
本発明に用いる湿度条件は、不必要な徒長を抑制するために植物生育装置内の相対湿度を６０％以下に調整することができる。１０〜６０％、好ましくは１０〜５０％に調整することができる。１０％未満では植物成長を低下させ、６０％を超えると徒長が著しくなる。
本発明に用いる炭酸ガスの濃度は、植物生育促進のため、植物生育装置内１２の空気中に、１，０００〜３，０００ｐｐｍ、好ましくは１，１００〜１，５００ｐｐｍ含有させることができる。１，０００ｐｐｍ未満では生育促進が不十分であり、３，０００ｐｐｍを超えても特段の植物生育効果はない。
【００１２】
【実施例】
以下に、実施例を挙げて本発明をさらに詳細に説明する。
有機ＥＬ発光シート作製例
１）赤色発光層有機ＥＬ発光シートをつぎの方法で作製した。
有機ＥＬ発光シート９は、支持基体１として厚さ１００μｍ、幅５０ｃｍのポリエチレンテレフタレートフイルムを使用した。このフイルム上に、平均厚さ３０ｎｍのＩＴＯによる陽極膜２を形成させ、ホール注入層３、ホール輸送層４、発光層５、電子輸送層６（電子注入層を兼用）の各層を次の順に形成させ、この上に陰極膜８を形成させる成膜工程を経て、封止工程を行ったものを使用した。
実施例の各層は真空蒸着で形成した。即ち、２室連続蒸着装置を使用し、上室を５×１０−２ｍｍＨｇ、下室を５×１０−４ｍｍＨｇの真空度に保ち、下室に設けた蒸着物質を入れたルツボは所定の温度に保持し、被蒸着フイルムの巻き取り速度を調節して、塗工厚さを各層の所定の厚さに形成した。
ホール注入層３は、銅フタロシアニン（ＣｕＰｃ）を使用し、ホール注入層の平均厚さを４０ｎｍに形成した。
ホール輸送層４は、Ｎ，Ｎ’−ジフェニル−Ｎ，Ｎ’−ビス（３−メチルフエニル）−１，１’−ビフェニル−４，４’−ジアミンを使用し、ホール輸送層の平均厚さを４０ｎｍに形成した。
発光層５の赤色発光層は、４−ジシアノメチレン−２−メチル−６−（ｐ−ジメチルアミノスチルリン）−４Ｈ−ピランを使用し、発光層の平均厚さを１０ｎｍに形成した。この赤色発光層を有する赤色発光シートは、ピーク波長が６３０ｎｍの赤色光を照射することができる。
電子輸送層６（電子注入層兼用）は、４−メチル−８−オキシキノリン３分子を配位したアルミニウム錯体化合物（ＡＬｍｑ３）を使用し、電子輸送層の平均厚さを５０ｎｍに形成した。
陰極膜８は、アルミニウム金属を使用し、平均厚さが１００ｎｍになるように真空蒸着によって形成した。
【００１３】
２）青色発光層有機ＥＬ発光シートをつぎの方法で作製した。
青色発光層は、１，４−ビス（４−エチルスチリル）ベンゼンを使用し、発光層の平均厚さを１０ｎｍに形成した。この青色発光層を有する青色発光シートは、ピーク波長が４５０ｎｍの青色光を照射することができる。
発光層５を青色発光層に代えた以外は、前記１）赤色発光層有機ＥＬ発光シート作製方法を用いて青色発光層有機ＥＬ発光シートを作製した。
本発明実施の別の態様として、発光源として有機ＥＬ発光シートと発光体ダイオードＬＥＤを併用することができる。例えば、コマツ菜などは赤色光ＬＥＤのみでも十分生育するが、一般には、植物の徒長を抑制するためには青色光を必要とする。青色光ＬＥＤは製造コストが高く、実際問題として青色光の照射には青色光ＬＥＤを使用できないので、有機ＥＬ発光シートによる青色光の照射を併用するのが有効である。本態様に用いるＬＥＤは公知のものを特に制限なく使用することができる。
【００１４】
実施例１
図３に示す湛液式の植物生育装置１２（縦５０ｃｍ、横１２０ｃｍ、高さ５０ｃｍの箱型）を使用し、レタス（品種：レッドファイヤー）の水耕栽培を行った。植物発芽育苗装置に、一辺が２ｃｍの方形スポンジを敷き、この上にレタス種子を播き、装置内を２０℃に保ち、白色蛍光灯下で５日間置いて発芽させた後、植物生育装置１２に１４株を移植した。
植物生育装置１２の生育培地１３（スポンジ）の表面から３０ｃｍ上部の天井面１４の内側に、前記によって作製したピーク波長が６３０ｎｍの赤色発光層シートと、ピーク波長が４５０ｎｍの青色発光層シートを使用した。両者有機ＥＬ発光シートは、一個の大きさが１２ｃｍ×５０ｃｍのものを１０枚使用した。赤色光シート９枚に対して青色光シートを１枚の割合で配列した。出力制御して、栽培生育面の赤色光量は９０±５μｍｏｌ／ｍ２・ｓに調節し、青色光量は１０±１μｍｏｌ／ｍ２・ｓに調節して連続２５日間の照射を行った。移植後の植物生育装置１２内の温度は２２℃に保持した。植物生育装置内の相対湿度は６０％、炭酸ガス濃度は１，２００ｐｐｍに保持した。生育栽培養液は園芸試験場標準処方液を使用した。この間水耕液が正常であることをチェックし、７日ごとに水耕液を全量交換した。
試験終了後、生育栽培したレタスの茎長及び葉色値を測定した。葉色値は、最も若い葉から５番目の葉のＳＰＡＤ値を葉色度計［ミノルタ（株）製、「ＳＰＡＤ−５０２」］によって測定した。測定結果は、全１４株の平均値で、地上部生体重が１１４ｇ、茎長が９．７ｃｍ、葉色（ＳＰＡＤ値）が１３．５であった。
実施例２
生育栽培野菜には、ほうれん草（品種：丸粒トウカイほうれん草）を使用した。一辺が２ｃｍの方形スポンジ上に、外皮を取り除いた、ほうれん草種子を播き、２０℃、白色蛍光灯下で３日間置いて発芽させた後、植物生育装置１２に１４株を移植して、４０日間生育栽培を行った。使用した有機ＥＬ発光シートは、前記作製例によるピーク波長が６３０ｎｍの赤色発光層シートと、ピーク波長が４５０ｎｍの青色発光層シートを使用した。両者有機ＥＬ発光シートは、一個の大きさが１２ｃｍ×５０ｃｍのものを１０枚使用した。赤色光シート９枚に対して青色光シートを１枚の割合で配列した。出力制御して、栽培生育面の赤色光量は９０±５μｍｏｌ／ｍ２・ｓに調節し、青色光量は１０±１μｍｏｌ／ｍ２・ｓに調節した。短日条件で暗期を設けるため、一日１２時間照射した。移植後の植物生育装置内の温度は２０℃に制御し定常保持した。植物生育装置内部の相対湿度は４０％にした。以上の相違点以外は実施例１と同様の条件で生育栽培し、実施例１と同様に測定した。
測定結果は、全１４株の平均値で、地上部生体重が７９ｇ、茎長が２．８ｃｍ、葉色（ＳＰＡＤ値）が２８．０であった。
【００１５】
【発明の効果】
本発明に用いる有機ＥＬ発光シートは、面光源であって、光源の形状の自由度が大きく、平面状、コの字型、曲面状、箱型または円筒状など任意の形状にすることができ、植物生育場所での取り付けが容易であり、消費電力が少なく、発光層を変えることにより、照射光線の波長を自由に選択できる。本発明に用いる有機ＥＬ発光シートの赤色発光層からの光は赤外線が極めて少ないので、近接照射しても葉焼けなどの障害を起すことがなく、植物工場、育苗装置、屋内観賞用植物などの生育に広く利用できる。
【図面の簡単な説明】
【図１】図１（ａ）は、発光部１層型有機ＥＬ発光シートの断面図である。
図１（ｂ）は、発光部２層型有機ＥＬ発光シートの断面図である。
図１（ｃ）は、発光部３層型有機ＥＬ発光シートの断面図である。
図１（ｄ）は、発光部４層型有機ＥＬ発光シートの断面図である。
図１（ｅ）は、発光部５層型有機ＥＬ発光シートの断面図である。
【図２】図２は、本発明に用いる有機ＥＬ発光シートの正面図である。
【図３】図３は、本発明に用いることのできる植物生育装置の透視斜視図である。
【符号の説明】
１  支持基体
２  陽極膜
３  ホール注入層
４  ホール輸送層
５  発光層
６  電子輸送層
７  電子注入層
８  陰極膜
９  有機ＥＬ発光シート
１０  陽極膜のリード線
１１  陰極膜のリード線
１２  植物生育装置
１３  生育培地
１４  天井面
Ｅ  電源
【図１】
2004321074.tif 000003
【図２】
2004321074.tif 000004
【図３】
2004321074.tif 000005